(57)【要約】【課題】蓋体によるマンホール開口部の閉塞状態をロックする機構を、マンホール蓋装置に対して低コストに且つ容易な作業にて付与可能な構造を提供する。【解決手段】蓋体１４に貫通孔３６を設ける一方、該貫通孔３６に挿通されるボルト部材３８が螺合可能な雌ねじ孔を備えたナット部材４２を、受枠１２に設けられた凹所２４内に収容配置し、そして、該ナット部材４２に一体形成される筒状固定部４６の内孔内の第一の移動部材５６を下方に移動せしめることにより、筒状固定部４６の下部部位に設けられた横孔５４内の第二の移動部材６０，６０を、筒状固定部４６の外周面から部分的に突出させて、凹所２４の側壁に係合させることで、ナット部材４２を凹所２４内に固定する一方、蓋体１４にてマンホール２６の開口部を閉塞させた状態で、蓋体１４の貫通孔３６内に挿通されたボルト部材３８を、ナット部材４２の雌ねじ孔に螺合せしめるようにした。【選択図】　　　図２
2004011174.tif 000002
【特許請求の範囲】
【請求項１】
所定の凹所を有し、該凹所がマンホールの開口部の周縁部位に位置するようにして、該マンホールの開口部に設置される受枠と、該受枠に嵌合せしめられて、該受枠の凹所を覆蓋しつつ、該マンホールの開口部を開閉可能に閉塞する蓋体とを含んで構成されたマンホール蓋装置において、かかる蓋体によるマンホールの開口部の閉塞状態をロックする構造にして、
前記受枠の凹所に対する前記蓋体の覆蓋部位に、専用の回転治具にて回転せしめられるボルト部材が、該蓋体に対して回転可能に支持された状態下で、外周面に雄ねじが設けられた雄ねじ部において、該蓋体の裏面側に突出位置せしめられるように挿通される貫通孔を設ける一方、該ボルト部材の雄ねじ部が螺合せしめられる雌ねじ孔を有するナット部と、該ナット部に対して一体的に設けられた、上下方向に延びる筒状体からなり、該筒状体の内孔の上部内周面が雌ねじ部とされると共に、その下部部位に、上下方向に対して直角な横方向に延出し、且つ該下部部位の外周面において側方に開口する横孔が形成されてなる筒状固定部とを含んで構成されたナット部材を、前記受枠の凹所内に収容配置せしめ、更に、かかるナット部材における筒状固定部の内孔内に、前記雌ねじ部に対する雄ねじ部材の螺入により下方に移動せしめられる第一の移動部材を配置する一方、該筒状固定部の前記横孔内に、該第一の移動部材の下方への移動に伴って、該第一の移動部材にて前記横方向に押圧されることにより、該筒状固定部の外周面から側方に部分的に突出せしめられるまで、該横孔内を、その延出方向に移動せしめられる第二の移動部材を配置して、
該ナット部材における筒状固定部の雌ねじ部への雄ねじ部材の螺入による該第一の移動部材の下方への移動に伴って、該筒状固定部の外周面から側方に突出せしめられる該第二の移動部材の突出部位を前記凹所の側壁に係合させることにより、該ナット部材を該凹所内に固定せしめる一方、前記蓋体にて、前記マンホールの開口部を閉塞せしめると共に、該蓋体の前記貫通孔内に前記ボルト部材を挿通配置して、該ナット部材の前記ナット部の雌ねじ孔に該ボルト部材を螺合せしめることにより、該蓋体によるマンホールの開口部の閉塞状態をロックするようにしたことを特徴とするマンホール蓋装置のロック構造。
【請求項２】
前記第二の移動部材における前記筒状固定部の外周面からの突出部位が、前記受枠の凹所の側壁を与える材料よりも硬い材料からなると共に、かかる突出部位に、その突出方向の先端に向かうに従って次第に薄肉化される、断面Ｖ字形状を呈するＶ字状突起が設けられて構成されている請求項１に記載のマンホール蓋装置のロック構造。
【請求項３】
前記第一の移動部材が、その少なくとも下端部の外周面に、下方に向かうに従って次第に小径化するテーパ面、若しくは下方に向かって中心部側に傾斜する傾斜面からなる押圧面が設けられて構成される一方、前記第二の移動部材が、該第一の移動部材のテーパ面若しくは傾斜面からなる押圧面に対応したテーパ面若しくは傾斜面からなる被押圧面を有して構成されて、該第一の移動部材の下方への移動に伴って、該第二の移動部材が、該被押圧面において、該第一の移動部材の押圧面に摺動せしめられつつ、押圧されて、前記横孔内を移動せしめられるようになっている請求項１又は請求項２に記載のマンホール蓋装置のロック構造。
【請求項４】
前記ナット部材が、前記筒状固定部を二つ有すると共に、それら二つの筒状固定部が、前記ナット部を間に挟んで配されて、該ナット部により互いに一体的に連結せしめられて構成されている請求項１乃至請求項３の何れかに記載のマンホール蓋装置のロック構造。
【請求項５】
前記第二の移動部材の外周部に、前記横孔の内周面に対して弾性変形下で接触する弾性体が装着されて、該第二の移動部材の該横孔内での移動に際しての、該横穴の内周面に対する該第二の移動部材の滑り抵抗が高められ得るようになっている請求項１乃至請求項４の何れかに記載のマンホール蓋装置のロック構造。
【発明の詳細な説明】
【０００１】
【技術分野】
本発明は、マンホール蓋装置のロック構造に係り、特に、マンホールの開口部の周縁部位に配置された凹所を有する受枠を備えた既設のマンホール蓋装置に対して、蓋体によるマンホールの開口部の閉塞状態をロックする機構を容易に付与し得るマンホール蓋装置のロック構造に関するものである。
【０００２】
【背景技術】
従来から、上下水道やガス管、電線等の地下埋設化のために地中に設けられた管路や通路、或いは地下に埋設された貯水槽や油槽等の貯液槽等には、その出入口となるマンホールが設けられており、また、このマンホールには、通常、マンホールの開口部に固設される受枠と、その受枠に嵌合せしめられて、マンホールの開口部を開閉可能に閉塞する蓋体とからなる、所謂マンホール蓋装置が設置されている。
【０００３】
ところで、近年では、光ファイバー等の情報回線や通信回線も、上述の如き既設の地下通路や地下管路内に敷設されるようになってきているところから、第三者のマンホール内への侵入を防止するために、マンホール蓋装置に対してセキュリティー対策を講ずることが、重要視されてきている。また、最近、地中の貯水槽内に薬物が投入されるといった悪質な事件も発生しており、それ故に、そのような貯液槽内に通じるマンホールに設置されるマンホール蓋装置に対しても、蓋体の容易な開放を阻止するための構造を有していることが、強く望まれているのである。
【０００４】
そこで、最近になって、ようやく、蓋体を受枠に対してロックする機構を備えたマンホール蓋装置が各種提案されて、新設されるマンホールに対して設置され始めているのであるが、既設のマンホールに設置されたマンホール蓋装置の殆どのものには、このようなロック機構が何等設けられていないため、かかるマンホール蓋装置に対しては、蓋体によるマンホールの開口部の閉塞状態をロックするようにしたロック構造が、現場施工により付与されているのである。
【０００５】
そして、そのような既設のマンホール蓋装置に対して付与されるロック構造としては、例えば、頭部の端面に特殊な形状の凹凸部が設けられ、この凹凸部に嵌合可能な凹凸部を有する専用の回転治具にて回転せしめられるＴ字ボルトの脚部が挿通可能な貫通孔を、蓋体に設ける一方、受枠に対して、かかるＴ字ボルトが螺合せしめられる雌ねじ孔を設けて、蓋体にてマンホールの開口部を閉塞せしめた状態下で、蓋体の貫通孔内にＴ字ボルトを挿通配置して、このＴ字ボルトを受枠の雌ねじ孔に螺合せしめることによって、蓋体によるマンホールの開口部の閉塞状態をロックするようした構造があり、かかる構造は、例えば南京錠等の特別な施錠具を何等必要としないため、コスト性の面から、多く採用されている。
【０００６】
ところが、かくの如きロック構造を既設のマンホール蓋装置に付与する際には、ドリル等を用いて、蓋体と受枠に対して、それぞれ、Ｔ字ボルトの脚部が挿通可能な貫通孔を設け、そして、受枠に設けられた貫通孔に対して雌ねじを形成する作業を行なっているのであるが、それらの作業が、決して容易なものではなかったのである。
【０００７】
すなわち、マンホールの内壁や開口周縁部位を形成する下地コンクリート上に設置された受枠に対して貫通孔を設けることは、困難な作業を要するものであったのであり、また、蓋体に対する穿設作業は、蓋体を受枠から取り外した状態で行なうことが出来るため、受枠に対する穿設作業よりは比較的に容易ではあるものの、蓋体を受枠に嵌合せしめた際に、受枠に設けられた貫通孔に正確に対応位置する貫通孔を蓋体に設けること、換言すれば、蓋体に貫通孔を設ける際の該貫通孔の位置決めが、決して容易ではなかったのである。
【０００８】
【解決課題】
ここにおいて、本発明は、上述せる如き事情を背景にして為されたものであって、その解決課題とするところは、蓋体によるマンホールの開口部の閉塞状態をロックする機構を、既設のマンホール蓋装置に対して、低コストに、しかも容易な作業によって付与することが出来るマンホール蓋装置のロック構造を提供することにある。
【０００９】
【解決手段】
そして、かかる課題を解決するために、本発明者等が種々検討を重ねた結果、例えば、貯水槽内に通じるマンホールに設置されるマンホール蓋装置の受枠には、マンホール内への雨水等の侵入を防ぐために、蓋体によって覆蓋される周溝が設けられており、また、その他の一部のマンホール蓋装置の受枠にも、その周縁部に、蓋体によって覆蓋される凹所が設けられていることに着目し、この周溝や凹所を利用して、蓋体に挿通配置されるＴ字ボルト等のボルト部材が螺合可能なナット部材を、受枠に固定することを着想したのである。
【００１０】
すなわち、本発明は、上述の如き着想を基に、更に鋭意研究を重ねた結果、完成されたものであって、その要旨とするところは、所定の凹所を有し、該凹所がマンホールの開口部の周縁部位に位置するようにして、該マンホールの開口部に設置される受枠と、該受枠に嵌合せしめられて、該受枠の凹所を覆蓋しつつ、該マンホールの開口部を開閉可能に閉塞する蓋体とを含んで構成されたマンホール蓋装置において、かかる蓋体によるマンホールの開口部の閉塞状態をロックする構造において、前記受枠の凹所に対する前記蓋体の覆蓋部位に、専用の回転治具にて回転せしめられるボルト部材が、該蓋体に対して回転可能に支持された状態下で、外周面に雄ねじが設けられた雄ねじ部において、該蓋体の裏面側に突出位置せしめられるように挿通される貫通孔を設ける一方、該ボルト部材が螺合せしめられる雌ねじ孔を有するナット部と、該ナット部に対して一体的に設けられた、上下方向に延びる筒状体からなり、該筒状体の内孔の上部内周面が雌ねじ部とされると共に、その下部部位に、上下方向に対して直角な横方向に延出し、且つ該下部部位の外周面において側方に開口する横孔が形成されてなる筒状固定部とを含んで構成されたナット部材を、前記受枠の凹所内に収容配置せしめ、更に、かかるナット部材における筒状固定部の内孔内に、前記雌ねじ部に対する雄ねじ部材の螺入により下方に移動せしめられる第一の移動部材を配置する一方、該筒状固定部の前記横孔内に、該第一の移動部材の下方への移動に伴って、該第一の移動部材にて前記横方向に押圧されることにより、該筒状固定部の外周面から側方に部分的に突出せしめられるまで、該横孔内を、その延出方向に移動せしめられる第二の移動部材を配置して、該ナット部材における筒状固定部の雌ねじ部への雄ねじ部材の螺入による該第一の移動部材の下方への移動に伴って、該筒状固定部の外周面から側方に突出せしめられる該第二の移動部材の突出部位を前記凹所の側壁に係合させることにより、該ナット部材を該凹所内に固定せしめる一方、前記蓋体にて、前記マンホールの開口部を閉塞せしめると共に、該蓋体の前記貫通孔内に前記ボルト部材を挿通配置して、該ナット部材の前記ナット部の雌ねじ孔に該ボルト部材を螺合せしめることにより、該蓋体によるマンホールの開口部の閉塞状態をロックするようにしたことを特徴とするマンホール蓋装置のロック構造にある。
【００１１】
要するに、この本発明に従うマンホール蓋装置のロック構造にあっては、専用の回転治具にて回転せしめられるボルト部材の雄ねじ部が挿通可能な貫通孔を蓋体に設ける一方、受枠に対して、かかるボルト部材の雄ねじ部が螺合せしめられる雌ねじ孔を設けて、蓋体にてマンホールの開口部を閉塞せしめた状態下で、蓋体の貫通孔内にボルト部材を挿通配置して、このボルト部材を受枠の雌ねじ孔に螺合せしめることによって、蓋体によるマンホールの開口部の閉塞状態をロックするようしたものであって、特別な施錠具等が何等用いられるものでないため、例えば、このようなロック構造を既設のマンホール蓋装置に対して付与する場合にも、そのコストを可及的に低く抑えることが出来るのである。
【００１２】
また、かかるマンホール蓋装置のロック構造においては、蓋体によるマンホール開口部の閉塞状態下で、蓋体にて覆蓋される受枠の凹所内に、単に、ナット部材を収容配置せしめて、固定するだけで、蓋体の貫通孔内に雄ねじ部が挿通配置されたボルト部材が螺合せしめられる雌ねじ孔が、ナット部材のナット部に設けられた雌ねじ孔によって、受枠に形成されるようになっているところから、例えばドリルやタップ等を用いて、受枠に対して、ボルト部材が螺合される雌ねじ孔を形成する必要が、有利に皆無ならしめられ得るのである。
【００１３】
しかも、本発明に係るマンホール蓋装置のロック構造では、ナット部材を受枠の凹所内に収容配置せしめた状態下で、ナット部材における筒状固定部の内孔の雌ねじ部に雄ねじ部材を螺入して、かかる内孔内に配置された第一の移動部材を下方に移動せしめることにより、筒状固定部の横孔内に配置された第二の移動部材を、筒状固定部の外周面から突出せしめ、そして、この第二の移動部材の突出部位を受枠の凹所の側壁に係合させることで、ナット部材が、受枠の凹所内で固定されるようになっているため、単に、ナット部材における筒状固定部の雌ねじ部に雄ねじ部材を螺入するだけの極めて単純且つ簡単な作業によって、ナット部材を、受枠の凹所内の所定位置に、容易に固定することが出来るのである。
【００１４】
さらに、かかるマンホール蓋装置のロック構造においては、上述の如くして、ナット部材を受枠の凹所内に固定せしめた後でも、筒状固定部の雌ねじ部に対する雄ねじ部材の螺入状態を、一旦緩めて、ナット部材を受枠の凹所内で移動させ、そして、再び、雄ねじ部材を締付ければ、受枠の凹所内でのナット部材の固定位置を、自由に且つ容易に変更することが出来るのであり、それ故に、蓋体に設けられた、ボルト部材が挿通配置される貫通孔に対して正確に対応位置するように、ボルト部材が螺合される雌ねじ孔を、受枠に形成することが可能となり、以て、蓋体に貫通孔を設ける際の貫通孔の位置決め作業が、極めて容易となるのである。
【００１５】
従って、かくの如き本発明に従うマンホール蓋装置のロック構造によれば、蓋体によるマンホールの開口部の閉塞状態をロックする機構を、既設のマンホール蓋装置に対して、低コストに、しかも容易な作業によって、極めて有利に付与することが可能となるのである。
【００１６】
なお、このような本発明に従うマンホール蓋装置のロック構造の好ましい態様の一つによれば、前記第二の移動部材における前記筒状固定部の外周面からの突出部位が、前記受枠の凹所の側壁を与える材料よりも硬い材料からなると共に、かかる突出部位に、その突出方向の先端に向かうに従って次第に薄肉化される、断面Ｖ字形状を呈するＶ字状突起が設けられて、構成される。
【００１７】
このような構成を採用すれば、ナット部材における筒状固定部の外周面から第二の移動部材を突出せしめて、その突出部位を凹所の側壁に係合させた状態下で、かかる突出部位のＶ字状突起を凹所の側壁に食い込ませるように位置せしめることが出来、それによって、受枠の凹所内へのナット部材の固定状態を、極めて強固に維持せしめることが可能となり、以て蓋体によるマンホールの開口部の閉塞状態のロックが安定的に確保され得ることとなるのである。
【００１８】
また、本発明に従うマンホール蓋装置のロック構造の別の有利な態様の一つによれば、前記第一の移動部材が、その少なくとも下端部の外周面に、下方に向かうに従って次第に小径化するテーパ面、若しくは下方に向かって中心部側に傾斜する傾斜面からなる押圧面が設けられて構成される一方、前記第二の移動部材が、該第一の移動部材のテーパ面若しくは傾斜面からなる押圧面に対応したテーパ面若しくは傾斜面からなる被押圧面を有して構成されて、該第一の移動部材の下方への移動に伴って、該第二の移動部材が、該被押圧面において、該第一の移動部材の押圧面に摺動せしめられつつ、押圧されて、前記横孔内を移動せしめられるように構成されることとなる。これによって、第一の移動部材に伴って、第二の移動部材が確実に移動せしめられ得、以て、ナット部材における筒状固定部の外周面から突出せしめられた第二の移動部材の突出部位の凹所側壁に対する係合状態が安定的に確保され得て、受枠の凹所内へのナット部材の固定状態が、より安定的に確保され得ることとなるのである。
【００１９】
さらに、本発明に従うマンホール蓋装置のロック構造の更に別の望ましい態様の一つによれば、前記ナット部材が、前記筒状固定部を二つ有すると共に、それら二つの筒状固定部が、前記ナット部を間に挟んで配されて、該ナット部により互いに一体的に連結せしめられて、構成される。このような構成によれば、二つの筒状固定部の外周面から突出せしめられた、二つの第二の移動部材の突出部位が、それぞれ、凹所の側壁に対して係合せしめられることとなり、それによって、受枠の凹所内へのナット部材の固定状態が、更に一層安定的に確保され得るのである。
【００２０】
更にまた、本発明に従うマンホール蓋装置のロック構造の好ましい他の態様の一つによれば、前記第二の移動部材の外周部に、前記横孔の内周面に対して弾性変形下で接触する弾性体が装着されて、該第二の移動部材の該横孔内での移動に際しての、該横穴の内周面に対する該第二の移動部材の滑り抵抗が高められ得るように、構成されることとなる。このような構成を採用すれば、ナット部材における筒状固定部の横孔内からの第二の移動部材の無用な抜出しや回転が有利に阻止され得るのであり、これによっても、ナット部材が、受枠の凹所内に、より安定的に固定され得ることとなるのである。
【００２１】
【発明の実施の形態】
以下、本発明を更に具体的に明らかにするために、本発明に係るマンホール蓋装置のロック構造の構成について、図面を参照しつつ、詳細に説明することとする。
【００２２】
先ず、図１及び図２には、本発明に従うロック構造が採用されてなるマンホール蓋装置の一例として、地下に埋設された貯水槽内に通じるマンホールの開口部に設置されるマンホール蓋装置が、その上面形態と縦断面形態とにおいて、それぞれ概略的に示されている。それらの図から明らかなように、本実施形態のマンホール蓋装置１０は、受枠１２と、それに嵌合せしめられる蓋体１４とを有して、構成されている。
【００２３】
より具体的には、このマンホール蓋装置１０を構成する受枠１２は、鋳鉄製で、高さの低い略円筒状の全体形状を有し、筒壁部１６の下端外周面に、円環板形状を呈する外向きフランジ部１８が一体的に設けられて、成っている。また、かかる受枠１２における筒壁部１６の下端内周面には、全体として、狭幅の円環板形状を呈し、かかる円環板形状の内周部に竪壁部２０が周方向に連続して延びるように立設せしめられて、縦断面が略Ｌ字状とされた内向きフランジ部２２が、一体的に形成されており、それによって、筒壁部１６の内側に、かかる筒壁部１６と内向きフランジ部２２の竪壁部２０とを側壁とした、凹所としての凹溝２４が、筒壁部１６に沿って周方向に連続して延びるように、形成されている。なお、この凹溝２４は、その周方向の所定位置で、図示しない排水管に連通せしめられている。
【００２４】
そして、このような受枠１２が、マンホール２６の開口部上において、その周縁部位に、凹溝２４が位置するように載置された状態で、かかるマンホール２６の開口部に対して、外向きフランジ部１８がボルト固定等されることにより、設置されるようになっているのであり、また、そのような設置状態下において、雨水等が、凹溝２４と図示しない排水管を通じて排水されて、マンホール２６内に侵入しないようになっているのである。
【００２５】
一方、蓋体１４は、鋳鉄製で、マンホール２６の開口部とその周縁部位とを覆い得る大きさを備えた略円板状の全体形状を有している。また、この蓋体１４の裏面の外周部には、周方向に連続して延びる二つの突条３０，３２が、同心的に位置せしめられた状態で、それぞれ一体的に設けられている。
【００２６】
そして、このような蓋体１４が、二つの突条３０，３２を、マンホール２６の開口部に設置された受枠１２における内向きフランジ部２２の竪壁部２０の先端面と、筒壁部１６の内側に一体形成された突起の上面とに、それぞれ接触せしめた状態で、受枠１２に対して嵌合せしめられることによって、受枠１２の前記凹溝２４を覆蓋しつつ、マンホール２６の開口部を開閉可能に閉塞し得るようになっているのである。なお、図２中、３４は、竪壁部２０と蓋体１４（突条３０）との接触面間に介在せしめられるゴムパッキンであって、それらの接触面間を通じての雨水等のマンホール２６内への侵入を阻止するためのものである。
【００２７】
ところで、上述の如き構造により、蓋体１４にてマンホール２６の開口部を閉塞し得るように構成された本実施形態のマンホール蓋装置１０にあっては、特に、蓋体１４によるマンホール２６の開口部の閉塞状態をロックする機構が、受枠１２と蓋体１４との間に、従来装置には見られない特別な構造をもって、設けられている。
【００２８】
すなわち、図１及び図２から明らかなように、ここでは、蓋体１４の外周部分において、蓋体１４の受枠１２への嵌合下で、受枠１２の凹溝２４を覆蓋する覆蓋部位に、かかる覆蓋部位を板厚方向に貫通する二つの貫通孔３６，３６（図２に、一つのみを示す）が１８０°の位相差をもって、形成されている。また、それら各貫通孔３６内には、蓋体１４の厚さ寸法よりも十分に大きさ長さ寸法と、各貫通孔３６の内径よりも小さな外径とを有する脚部と、各貫通孔３６の内径よりも大きな外径を有する頭部を備えた、ボルト部材としてのＴ字ボルト３８が、その脚部において、それぞれ挿通せしめられている。即ち、ここでは、Ｔ字ボルト３８が、その頭部を蓋体１４の表面上に露出せしめると共に、脚部の先端部分を、蓋体１４の裏面側に突出させた状態で、蓋体１４に対して回転可能に支持されつつ、各貫通孔３６内に、それぞれ挿通配置されているのである。
【００２９】
なお、各貫通孔３６に挿通されるＴ字ボルト３８は、図１に示されるように、蓋体１４の表面上に露出せしめられる頭部の端面に、例えば花柄状の特殊な形状を呈する、深さの浅い花柄係合凹部が形成されており、これによって、そのような花柄係合凹部に対応した花柄状の花柄係合凸部を有する専用の回転治具（図示せず）を用いて、この回転治具の花柄係合凸部を花柄係合凹部に嵌合し、係合せしめた状態下において、かかる回転治具を回転操作することで、軸心回りに回転せしめられるようになっている。つまり、換言すれば、Ｔ字ボルト３８は、花柄係合突部を有する専用の回転治具がなければ、所定の雌ねじ孔に螺合され得ないようになっているのである。
【００３０】
一方、図２及び図３から明らかなように、前記貫通孔３６が形成される蓋体１４の外周部分にて覆蓋される、受枠１２の凹溝２４内には、蓋体１４の外周部分における二つの貫通孔３６，３６の形成位置に対応する位置に、ナット部材４２が、それぞれ一つずつ、収容配置されている。
【００３１】
このナット部材４２は、一つのナット部４４と、それを間に挟んで配された二つの筒状固定部４６，４６とを有しており、それら二つの筒状固定部４６，４６が、ナット部４４にて一体的に連結されてなる金属製の一体品にて、構成されている。また、かかるナット部材４２の中央部分を構成するナット部４４は、水平方向に広がる、略厚肉の矩形平板形態を有しており、その中心部に、前記Ｔ字ボルト３８の脚部が螺合可能な雌ねじ孔４８が形成されて、成っている。
【００３２】
一方、二つの筒状固定部４６，４６は、同一の形状と、同一の構造を有して、構成されている。即ち、各筒状固定部４６は、円形の内孔を備えた、上下方向に延びる矩形角筒状の全体形状を有しており、ナット部４４に対して一体化せしめられた外側側面同士において、互いに対向配置されている。そして、この筒状固定部４６にあっては、その上部部位における内孔の径が、下部部位の内孔の径よりも一周り大きくされていると共に、この大径化された内孔の上部内周面に雌ねじ部５０が形成されて、そこに、六角穴付きの止めねじ５２が、螺合せしめられている。
【００３３】
また、筒状固定部４６の下部部位には、水平な方向で、且つナット部４４が一体化された外側側面と隣り合う二つの外側側面、つまり、ナット部材４２が収容配置される凹溝２４の二つの側壁（受枠１２の筒壁部１６と竪壁部２０）と対向位置する二つの外側側面の対向方向となる横方向に延出する横孔５４が、内孔に交差しつつ、かかる下部部位を貫通して、形成されている。なお、この横孔５４は、筒状固定部４６の内孔よりも大径の円形孔からなり、凹溝２４の二つの側壁とそれぞれ対向する二つの外側側面において、側方に向かって開口せしめられている。
【００３４】
そして、このようなナット部材４２の各筒状固定部４６には、その内孔内の中間部分に、第一の移動部材としての押圧ピン５６が、上下方向に移動可能に配置されている。この押圧ピン５６は、全体として、略円柱形状を呈する金属棒からなっており、その下端部における径方向の両側に位置する部位が、斜めに切除された如き形態とされて、かかる下端部に、軸心に向かって下傾する傾斜面からなる二つの押圧面５８，５８が、径方向に対向位置するように設けられて、構成されている。即ち、換言すれば、押圧ピン５６の下端部が、先端に向かうに従って次第に薄肉となる楔形状とされ、かかる楔形状の両側面が、それぞれ押圧面５８，５８とされているのである。
【００３５】
そして、ここでは、筒状固定部４６の内孔の上部内周面に設けられた雌ねじ部５０に螺合された止めねじ５２に対するねじ込み操作が行なわれることにより、図２に二点鎖線で示されるように、内孔内の中間部分に配置された押圧ピン５６が、止めねじ５２にて押し下げられて、内孔の中間部内周面に案内されつつ、下方に移動せしめられ、以て、押圧ピン５６における二つの押圧面５８，５８が設けられた下端部が、前記横孔５４内に突入せしめられるようになっているのである。
【００３６】
また、そのような押圧ピン５６の下端部が突入せしめられる横孔５４内には、第二の移動部材たる、二つのスライドブロック６０，６０が、収容配置されている。これら二つのスライドブロック６０，６０は、何れも、横孔５４の内径よりも所定寸法小さな外径と、横孔５４の延出長さの半分と略同じか若しくはそれよりも僅かに短い軸方向長さ（高さ）を有する略円筒状の全体形状を有していることによって、横孔５４内を、その延出方向にスライド移動せしめられ得るように構成されている。
【００３７】
そして、この円筒状のスライドブロック６０，６０のそれぞれの内孔内には、例えば鋼材等、受枠１２を与える鋳鉄よりも硬い材料からなるコア６２が、一端面を外部に露呈せしめた状態で収容されて、内孔の内周面の一部に設けられた雌ねじ部にねじ込まれることにより取り付けられている。また、それら各スライドブロック６０に取り付けられたコア６２の外部に露呈せしめられた端面には、先端に向かうに従って次第に薄肉化される、断面Ｖ字形状を呈する複数のＶ字状突起６４が、一体的に設けられている。これによって、各スライドブロック６０が、その一端面に、硬質材料からなるＶ字状突起６４が複数形成されて、構成されているのである。
【００３８】
また、このような二つのスライドブロック６０，６０のそれぞれにあっては、複数のＶ字状突起６４の形成側とは反対側の端部の上下に位置する部位が、それぞれ斜めに切除された如き形態とされて、かかる端部に、前記押圧ピン５６の二つの押圧面５８，５８のうちの何れか一方に対応した傾斜面からなる被押圧面６６，６６が形成されている。即ち、換言すれば、各スライドブロック６０の、Ｖ字状突起６４の形成側とは反対側の端部が、楔形状とされた押圧ピン５６の下端部に対応した楔形状とされて、かかる楔形状の両側面が、それぞれ被押圧面６６，６６とされているのである。
【００３９】
そして、このような構成とされた二つのスライドブロック６０，６０が、それぞれ、被押圧面６６，６６の形成側端部を、横孔５４に中心側に位置せしめる一方、複数のＶ字状突起６４の形成側端部を、横孔５４の各開口部側に位置せしめた状態で、横孔５４内に、収容配置されているのである。
【００４０】
また、それら各スライドブロック６０の外周部には、周溝が設けられ、この周溝内に、横孔５４の内周面に弾性変形下で接触するゴム製のＯリング６８が、外挿されて、装着されており、それによって、横孔５４の内周面に対する各スライドブロック６０の滑り抵抗が、適度に高められるようになっている。
【００４１】
かくして、ここでは、前述せる如く、筒状固定部４６の雌ねじ部５０への止めねじ５２の螺入により、押圧ピン５６が下方に移動せしめられて、その下端部が横孔５４内に突入せしめられることによって、横孔５４内に収容配置された二つのスライドブロック６０，６０が、それぞれの被押圧面６６において、押圧ピン５６の下端部の横孔５４内への突入量に応じた分だけ、かかる下端部の押圧面５８に摺動せしめられつつ、押圧され、横孔５４内を、その延出方向に移動せしめられて、複数のＶ字状突起６４の形成側の端部が、横孔５４の両側開口部を通じて、凹溝２４の二つの側壁（受枠１２の筒壁部１６と竪壁部２０）と対向する二つの外側側面から側方に突出せしめられるようになっている。
【００４２】
それ故に、かかる本実施形態のマンホール蓋装置１０においては、止めねじ５２を、筒状固定部４６の雄ねじ部５０に強く（深く）ねじ込むことによって、図４において二点鎖線で示されるように、二つのスライドブロック６０，６０の端部が、横孔５４の両側開口部から、それぞれ大きく突出せしめられて、それら突出せしめられた端部における、受枠１２よりも硬い材料からなる複数のＶ字状突起６４が、凹溝２４の二つの側壁にそれぞれ食い込むようにして、係合せしめられ、以て、ナット部材４２が、凹溝２４内に固定されるようになっている。そして、その結果として、かかる凹溝２４内において、受枠１２に嵌合せしめられる蓋体１４における前記二つの貫通孔３６，３６の形成位置に対応する位置に、それら各貫通孔３６内に脚部が挿通されるＴ字ボルト３８が螺合可能な前記雌ねじ孔４８が、位置固定に設けられるようになっているのである。
【００４３】
なお、そのようにして、ナット部材４２を凹溝２４内に、一旦固定した後にあっても、雄ねじ部５０への止めねじ５２の螺合状態を弛緩させれば、ナット部材４２の凹溝２４内への固定を解除出来、また、そのような解除状態下で、ナット部材４２を凹溝２４内にて移動させて、雄ねじ部５０に止めねじ５２をねじ込めば、かかる移動位置にて、ナット部材４２を再び固定することが出来るようになっている。そして、それによって、Ｔ字ボルト３８が螺合される雌ねじ孔４８の形成位置を、受枠１２の凹溝２４内において自由に且つ容易に変更し得るようになっているのである。
【００４４】
而して、かくの如き構造とされたマンホール蓋装置１０にあっては、蓋体１４を受枠１２に嵌合せしめて、蓋体１４にて、受枠１２の凹溝２４を覆蓋すると共に、マンホール２６の開口部を閉塞せしめた状態下で、蓋体１４の外周部における二つの貫通孔３６，３６内にそれぞれ挿通された二つのＴ字ボルト３８，３８を、前述せる如き専用の回転治具を用いて回転させつつ、受枠１２の凹溝２４内に固定された二つのナット部材４２，４２のそれぞれの雌ねじ孔４８，４８に螺合せしめることによって、蓋体１４が受枠１２に固定されて、蓋体１４によるマンホール２６の閉塞状態がロックされ得るように構成されているのである。なお、かかるロック状態の解除は、専用の回転治具にて、二つのＴ字ボルト３８，３８の雌ねじ孔４８，４８に対する螺合状態をそれぞれ弛緩させることによって、容易に行なわれることとなる。
【００４５】
このように、本実施形態のマンホール蓋装置１０においては、蓋体１４の外周部における二つの貫通孔３６，３６にそれぞれ挿通された二つのＴ字ボルト３８，３８を、専用の回転治具を用いて回転操作して、受枠１２の凹溝２４内に設けられた二つの雌ねじ孔４８，４８に螺合せしめるだけで、蓋体１４によるマンホール２６の閉塞状態がロックされ得るようになっているところから、例えば、南京錠等の特別な施錠具を用いる必要が有利に解消され得、それによって、蓋体１４によるマンホール２６の閉塞状態をロックするための機構の付与に伴うコストが、可及的に低く抑えられ得るのである。
【００４６】
また、かかるマンホール蓋装置１０にあっては、受枠１２の凹溝２４内に、ナット部材４２を固定することによって、蓋体１４の各貫通孔３６に挿通されるＴ字ボルト３８が螺合する雌ねじ孔４８が、受枠１２に形成されるようになっているところから、マンホール２６の開口部に既に設置された受枠１２に対して、そのような雌ねじ孔４８を形成するために、例えばドリルやタップ等を用いた下孔の穿設作業や、かかる下孔に対するねじ形成作業等の面倒で且つ労力を要する作業を行なう必要が有利に解消され得るのであり、それによって、蓋体１４によるマンホール２６の閉塞状態をロックするための機構を付与する際の作業の効率化が、極めて効果的に図られ得ることとなるのである。
【００４７】
しかも、本実施形態のマンホール蓋装置１０においては、ナット部材４２を受枠１２の凹溝２４内に収容配置せしめた状態で、単に、かかるナット部材４２における筒状固定部４６の雌ねじ部５０に止めねじ５２をねじ込むだけの極めて単純で且つ簡単な操作を行なうことによって、ナット部材４２が凹溝２４内に固定されて、Ｔ字ボルト３８が螺合される雌ねじ孔４８が、凹溝２４内に位置固定に設けられるようになっているため、かかる雌ねじ孔４８の形成作業、ひいては、蓋体１４によるマンホール２６の閉塞状態をロックするための機構を付与する作業が、より一層効率的且つ容易に行なわれ得ることとなるのである。
【００４８】
さらに、かかるマンホール蓋装置１０では、ナット部材４２における筒状固定部４６の雄ねじ部５０に対する止めねじ５２の螺入及び弛緩操作によって、受枠１２の凹溝２４内におけるナット部材４２の固定位置を変更することで、Ｔ字ボルト３８が螺合される雌ねじ孔４８の受枠１２に対する形成位置を自由に且つ容易に変更することが出来るため、Ｔ字ボルト３８が、かかる雌ねじ孔４８に確実に螺合され得るように、Ｔ字ボルト３８が挿通される貫通孔３６を蓋体１４に位置精度良く設ける作業を行なう必要も、有利に解消され得るのであり、これによっても、蓋体１４によるマンホール２６の閉塞状態をロックするための機構を付与する作業が、更に一層効率的且つ容易に行なわれ得ることとなるのである。
【００４９】
また、本実施形態のマンホール蓋装置１０においては、ナット部材４２における筒状固定部４６の内孔内での押圧ピン５６の下方への移動に伴って、横孔５４の両側開口部から突出せしめられる二つのスライドブロック６０，６０の端部に、硬質材料からなる複数のＶ字状突起６４が設けられて、それら複数のＶ字状突起６４が、受枠１２における凹溝２４の二つの側壁に食い込むようにして係合せしめられることにより、ナット部材４２が、凹溝２４内に固定されるようになっているところから、受枠１２の凹溝２４内へのナット部材４２の固定状態を、極めて強固に維持せしめることが出来、それによって、蓋体１４によるマンホール２６の開口部の閉塞状態のロックが、より安定的に確保され得ることとなるのである。
【００５０】
さらに、かかるマンホール蓋装置１０にあっては、押圧ピン５６の下端部に、軸心方向に下傾する傾斜面からなる押圧面５８，５８が設けられる一方、各スライドブロック６０のＶ字状突起６４形成側とは反対側の端部に、それら押圧面５８，５８に対応した傾斜面からなる被押圧面６６，６６が形成されて、押圧ピン５６の下方への移動に伴って、かかる押圧ピン５６の押圧面５８に対して、各スライドブロック６０が、被押圧面６６において摺動せしめられつつ、押圧されて、横孔５４内を移動せしめられるようになっているところから、それら押圧ピン５６の押圧面５８と各スライドブロック６０の被押圧面６６とが面接触せしめられることとなり、それによって、押圧ピン５６の下方への移動に伴う各スライドブロック６０の横孔５４内での移動が、より確実に行なわれ得、以て、各スライドブロック６０における複数のＶ字状突起６４の、凹溝２４の各側壁に対する係合状態が、より安定的に確保され得て、凹溝２４内へのナット部材４２の固定状態が、更に一層確実に維持され得ることとなるのである。
【００５１】
更にまた、本実施形態に係るマンホール蓋装置１０においては、各スライドブロック６０の外周部に、横孔５４の内周面に弾性変形下で接触するゴム製のＯリング６８が装着されていることによって、横孔５４の内周面に対する各スライドブロック６０の滑り抵抗が、適度に高められるようになっているため、各スライドブロック６０の横孔５４内での移動時に、それら各スライドブロック６０が、無用に回転することや、横孔５４の開口部から外方に離脱するようなことが有利に防止され得、これによっても、各スライドブロック６０における複数のＶ字状突起６４が、凹溝２４の各側壁に対して、より確実に係合せしめられ得ることとなり、以て、ナット部材４２が、凹溝２４内に、より安定的に固定され得るのである。
【００５２】
また、かかるマンホール蓋装置１０にあっては、ナット部材４２が、凹溝２４の二つの側壁に係合せしめられる二つのスライドブロック６０，６０を備えた筒状固定部４６を、二つ有して構成されていることによっても、凹溝２４内でのナット部材４２の固定状態が、より安定的に確保され得るといった利点が得られるのである。
【００５３】
以上、本発明の具体的な構成について詳述してきたが、これはあくまでも例示に過ぎないものであって、本発明は、上記の記載によって、何等の制約をも受けるものではない。
【００５４】
例えば、前記実施形態では、ナット部材４２が、受枠１２の凹溝２４内に、二つ固定されると共に、蓋体１４の外周部にも、それら各ナット部材４２の雌ねじ孔４８に螺合可能なＴ字ボルト３８が挿通される貫通孔３６が、二つ設けられていたが、それら凹溝２４内に固定されるナット部材４２と、蓋体１４に設けられる貫通孔３６の配設個数は、互いに同一とされておれば、例示のものに何等限定されるものではなく、受枠１２や蓋体１４の大きさ等によって、適宜に変更され得るものである。
【００５５】
また、受枠１２の凹溝４２内へのナット部材４２の配設位置や蓋体１４に対する貫通孔３６の配設位置も、互いに対応位置せしめられるのであれば、前記実施形態に示されるものに、決して限定されるものでないことは、言うまでもないところである。
【００５６】
さらに、前記実施形態では、蓋体１４の貫通孔３６に挿通されるボルト部材が、断面Ｔ字形状を呈するＴ字ボルト３８にて、構成されていたが、このボルト部材は、蓋体１４に対して、専用の回転治具により回転せしめられ得るように支持された状態で、雄ねじ部において貫通孔３６に挿通され得るものであれば、その構造が、特に限定されるものではなく、従って、例えば、寸切りボルトの如き単なる棒状のボルト部材の一端部に対して、貫通孔３６における蓋体１４の表面側の開口周縁部に係合して、ボルト部材を蓋体１４に支持せしめる支持部が設けられてなるような構造をもって、ボルト部材を構成しても、何等差し支えないのである。
【００５７】
更にまた、前記実施形態では、第一の移動部材たる押圧ピン５６の押圧面５８と、第二の移動部材としてのスライドブロック６０の被押圧面６６とが、互いに対応する傾斜面とされていたが、それら押圧面５８と被押圧面６６とを、それぞれ、互いに対応するテーパ面にて構成しても良く、また、それらの何れか一方を傾斜面やテーパ面にて構成とする一方、それらの何れか他方を球面にて構成することも、可能である。
【００５８】
また、それら押圧ピン５６やスライドブロック６０の個数も、前記実施形態に示されるものに、特に限定されるものではない。
【００５９】
さらに、そのようなスライドブロック６０の外周部に設けられた周溝に装着されるゴム製のＯリング６８も、何等必須のものではないものの、かかるＯリング６８に代えて、例えば、弾性を有する合成樹脂材料からなる樹脂リングを、弾性変形下で横穴５４の内周面に接触するように、周溝に外挿せしめても良いのであり、また、スライドブロック６０の外周部に、周溝等を何等設けることなく、Ｏリング６８や樹脂リングを外挿したり、或いは単なるゴム製や樹脂製の、リング形状以外の形状を呈する滑り止め部材等を貼り付けたりして、横孔５４の内周面に対するスライドブロック６０の滑り抵抗が、適度に高められるように構成することも、可能である。
【００６０】
更にまた、前記実施形態では、所定の凹所が、受枠１２に対して、その周方向に連続して延びるように設けられた凹溝２４にて構成されて、この凹溝２４内にナット部材が固定されるようになっていたが、ナット部材４２が固定される凹所は、受枠１２がマンホール２６の開口部に設置せしめられた状態下で、かかる開口部の周縁部位に位置せしめられて、蓋体１４にて覆蓋されるように、受枠１２に設けられておれば、その配設形態や配設数等が何等限定されるものではく、従って、例えば、受枠１２の内周部や外周部に、一つ、若しくは周方向に適当な間隔をおいた位置に複数個設けられた凹所内に、ナット部材４２を固定するようにしても良いのである。
【００６１】
加えて、前記実施形態では、本発明を、地下に埋設された貯水槽内に通じるマンホールの開口部に設置されるマンホール蓋装置のロック構造に対して適用したものの具体例を示したが、本発明は、地下貯水槽のマンホール以外の各種のマンホールの開口部に設置されるマンホール蓋装置のロック構造の何れに対しても有利に適用され得ることは、勿論である。
【００６２】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【００６３】
【発明の効果】
以上の説明からも明らかなように、本発明に従うマンホール蓋装置のロック構造によれば、蓋体によるマンホールの開口部の閉塞状態をロックする機構を、既設のマンホール蓋装置に対して、低コストに、しかも容易な作業によって、極めて有利に付与することが可能となるのである。
【図面の簡単な説明】
【図１】本発明に従うロック構造が付与されてなるマンホール蓋装置の一例を示す上面説明図であって、右半分は、かかるマンホール蓋装置の蓋体の上面形態を示し、左半分は、かかるマンホール蓋装置の受枠の上面形態を示している。
【図２】図１のＩＩ−ＩＩ断面における部分拡大説明図である。
【図３】図２におけるＩＩＩ−ＩＩＩ断面説明図である。
【符号の説明】
１０　マンホール蓋装置　　　　　　　　１２　受枠
１４　蓋体　　　　　　　　　　　　　　１６　筒壁部
２０　竪壁部　　　　　　　　　　　　　　　　　　　２４　凹溝
２６　マンホール　　　　　　　　　　　３６　貫通孔
３８　Ｔ字ボルト　　　　　　　　　　　４２　ナット部材
４４　ナット部　　　　　　　　　　　　４６　筒状固定部
４８　雌ねじ孔　　　　　　　　　　　　５０　雄ネジ部
５２　止めねじ　　　　　　　　　　　　５４　横穴
５６　押圧ピン　　　　　　　　　　　　５８　押圧面
６０　スライドブロック　　　　　　　　６６　被押圧面
【図１】
2004011174.tif 000003
【図２】
2004011174.tif 000004
【図３】
2004011174.tif 000005